(57)【要約】【課題】パソコンの取扱いが苦手な場合等でも、電子アルバムを簡単かつ短時間に作成でき、かつ従来の台紙アルバムの感覚で作成及び鑑賞ができるようにする。【解決手段】写真台１１に載せた写真Ｐｂ、タイトルカードＰａ、手書きカードＰｃ等の画像を読取り部１３にて読み取り、液晶表示部１４では上記写真Ｐｂ等の素材画像を表示しながら、これらの素材画像を任意に配置したアルバム画像が頁単位で作成される。また、頁めくり情報がバーコードＢｅで付された頁めくり用冊子５０を設けており、アルバム閲覧時には、この頁めくり用冊子５０の表紙のタイトルカードＰａのバーコードＢａ２の読取りによってそのタイトルのアルバム画像の１，２頁を表示し、頁めくり用冊子５０をめくったときのバーコードＢｅを読み取ることによって、次の３，４頁を表示する。【選択図】図１
2006186707.tif 000002
【特許請求の範囲】
【請求項１】
写真及び手書きカードを含む各種カードを載せる写真台と、
この写真台に載せた写真及びカードを電子的に素材画像として読み取るための画像読取り部と、
この画像読取り部で読み取られた素材画像を表示すると共に、この素材画像の組合せからなるアルバム画像を表示する表示部と、
上記素材画像を頁単位で任意に貼り付けたアルバム画像を作成するための画像処理部と、
上記表示部上に素材画像を表示しながら上記画像処理部を用いたアルバム画像の編集・作成を制御すると共に、作成された複数頁のアルバム画像の閲覧時には頁めくり手段にてアルバム画像の頁めくりを実行する制御部と、を備えてなる電子アルバム作成装置。
【請求項２】
頁めくり手段として設けられ、１枚毎に頁めくり情報が付加された紙又は紙状物を複数枚重ねた頁めくり用冊子と、
この頁めくり用冊子に付された頁めくり情報を読み取る情報読取り部と、を設け、
上記頁めくり用冊子をめくることにより、アルバム画像の頁めくりを行うようにしたことを特徴とする請求項１記載の電子アルバム作成装置。
【請求項３】
上記各種カードの１つとして設けられたタイトルカードに個別情報を付与し、このタイトルカード個別情報によってこのタイトルカードに記載されたタイトルを電子アルバムの中の個々のアルバム画像のタイトルとして認識すると共に、このタイトルカード個別情報に関連付けてアルバム画像を保存するように構成し、
このタイトルカードを上記頁めくり用冊子の表紙に付けるようにしたことを特徴とする上記請求項１又は２記載の電子アルバム作成装置。
【請求項４】
上記頁めくり情報とタイトルカード個別情報を光学的識別コードにて付与したことを特徴とする上記請求項１乃至３記載の電子アルバム作成装置。
【請求項５】
上記頁めくり情報とタイトルカード個別情報を電気的識別素子にて付与し、この電気的識別素子を無線通信手段にて識別することを特徴とする上記請求項１乃至３記載の電子アルバム作成装置。
【発明の詳細な説明】
【技術分野】
【０００１】
本発明は電子アルバム作成装置、特に写真や手書きカードの画像情報を読み取り、これらの写真やカードの画像情報に基づいて電子アルバムを自由に編集・作成する新しい装置の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
しかしながら、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
また、完成した電子的なアルバムを観賞する場合、表示器に写真を一枚ずつ表示して見てもよいが、台紙に写真を貼り付けた従来のアルバムのように、関連のある複数の画像を並べて表示した方が観賞し易く、また思い出も甦り易くなる場合も多い。従って、このような観点でのアルバム画像の表示及び観賞ができれば便利である。
【０００５】
本発明は上記問題点に鑑みてなされたものであり、その目的は、パソコンの取扱いが苦手な場合又はパソコン等の知識を習得する時間がない場合でも、電子アルバムを簡単かつ短時間に作成することが可能となり、また従来の台紙アルバムのような感覚で電子アルバムを作成し鑑賞することができる電子アルバム作成装置を提供することにある。
【課題を解決するための手段】
【０００６】
上記目的を達成するために、請求項１の発明に係る電子アルバム作成装置は、写真及び手書きカード（文字、マーク、イラスト、絵等を手書きしたもの）を含む各種カードを載せる写真台と、この写真台に載せた写真及びカードを電子的に素材画像として読み取るための画像読取り部（例えばＣＣＤを用いた撮影部）と、この画像読取り部で読み取られた素材画像を表示すると共に、この素材画像の組合せからなるアルバム画像を表示する表示部と、上記素材画像を頁（ページ）単位で任意に貼り付けたアルバム画像を作成するための画像処理部と、上記表示部上に素材画像を表示しながら上記画像処理部を用いたアルバム画像の編集・作成を制御すると共に、作成された複数頁のアルバム画像の閲覧時には頁めくり（頁送り）手段にてアルバム画像の頁めくりを実行する制御部と、を備えてなることを特徴とする。
【０００７】
請求項２に係る発明は、頁めくり手段として設けられ、１枚毎に頁めくり情報（頁めくりコマンド及び移動頁番号の情報）が付加された紙又は紙状物を複数枚重ねた頁めくり用冊子（本でもあり、複数の紙を綴じたもの）と、この頁めくり用冊子に付された頁めくり情報を読み取る情報読取り部と、を設け、上記頁めくり用冊子をめくることにより、アルバム画像の頁めくりを行うようにしたことを特徴とする。
請求項３に係る発明は、上記各種カードの１つとして設けられたタイトルカードに個別情報を付与し、このタイトルカード個別情報によってこのタイトルカードに記載されたタイトルを電子アルバムの中の個々のアルバム画像のタイトルとして認識すると共に、このタイトルカード個別情報に関連付けてアルバム画像を保存するように構成し、タイトルカードを上記頁めくり用冊子の表紙に付けるようにしたことを特徴とする。
【０００８】
上記頁めくり情報とタイトルカード個別情報を光学的識別コード（バーコード、二次元コード等）とする場合は、これら情報の読取り部として上記画像読取り部を利用し、かつここで読み取った光学的識別コードを検出する検出回路を設ける。また、この頁めくり情報とタイトルカード個別情報を電気的識別手段であるＩＣタグ等にて付与することもでき、この場合は、情報読取り部として無線ＩＤ読取り部等を用いることになる。
【０００９】
上記の構成によれば、電子アルバム作成の際には、写真台に載せた写真、タイトルカード、手書きカードが画像読取り部で電子画像として読み取られ、これらの電子画像が内部記憶部に記憶されると同時に、表示部へ表示される。この表示部には、写真、カードの素材画像を表示する素材画面（画面領域）とアルバム画像を表示するアルバム画面（画面領域）が設定されており、この素材画面の中から選択した素材画像を、１頁毎のアルバム画面内に任意な配置で貼り付けることにより、頁単位のアルバム画像が作成され、保存される。
【００１０】
請求項２の構成を採用する場合は、光学的識別コード又は電気的識別手段が付与され、タイトルの記載欄（白紙欄）を有するタイトルカードが設けられており、このタイトルカードの個別情報が認識されることにより、このタイトルカードに記載されたタイトル画像はアルバム画像のタイトルとして自動的に貼り付けられると共に、作成した複数頁の一連のアルバム画像がこのタイトル個別情報と関連付けられて保存される。
【００１１】
そして、電子アルバムを閲覧する際には、例えば表紙にタイトルカードを付けた頁めくり用冊子を写真台に置くと、タイトルカード個別情報が情報読取り部で認識されることにより、そのタイトルのアルバム画像が読み出され、その１頁等が表示される。次に、写真台の頁めくり用冊子をめくると、その頁の頁めくり情報が情報読取り部で認識されることにより、該当する頁のアルバム画像が表示される。
【発明の効果】
【００１２】
本発明の電子アルバム作成装置によれば、パソコンの取扱いが苦手な場合又はパソコン等の知識を習得する時間がない場合でも、電子アルバムを簡単かつ短時間に作成することができ、従来の台紙アルバムのような感覚で電子アルバムを作成し鑑賞することが可能となる。
【発明を実施するための最良の形態】
【００１３】
図１〜図５には、実施例に係る電子アルバム作成装置の構成が示されており、図１及び図４に示されるように、この装置は、タイトルカードＰａ、写真Ｐｂ、手書きカードＰｃ及び頁めくり用冊子（本、綴じ集合紙）５０等を載せるために平面台とされた写真台（本体水平部）１１、この写真台１１の側面から出し入れ自在（使用しないときは内部に収納される）に設けられた操作部１２、対物レンズと固体撮像素子であるＣＣＤを有する読取り部（画像読取り部）１３、液晶ディスプレイからなる液晶表示部１４を備えている。上記読取り部１３は、図４（Ｂ）のように、対物レンズ１３ａと固体撮像素子であるＣＣＤ１３ｂを有し、写真台１１上の読取り範囲Ｋ内の像を斜めからデジタル撮影（又はデジタルスキャン）により読み取ることができ、この読取りを一定の光照度で良好に行うために、照明部１６が設けられる。なお、実施例の読取り部１３では、写真Ｐｂ等を斜めから読み取っているが、読取り部１３を写真台１１の真上に配置し、写真Ｐｂ等を真上から読み取るようにしてもよい。
【００１４】
上記操作部１２は、図１に示されるように、上下左右移動キー１２ａ、入力キー１２ｂ、終了キー１２ｃ、剥しキー（又は取消しキー）１２ｄ、貼付けキー（又は確定キー）１２ｅを有しており、これらのキー１２ａ〜１２ｅによって編集のための操作が行われる。そして、図３に示されるように、上記操作部１２の操作に基づく編集のための動作制御や液晶表示部１４での表示制御を実行するため、写真台１１の内部に制御部（マイコン等）１８が設けられると共に、上記読取り部１３で読み取られたタイトルカードＰａ及び頁めくり用冊子５０に付されているバーコードＢａ１〜Ｂａｎ及びＢｅを検出するバーコード検出部１９、写真Ｐｂ、手書きカードＰｃの素材画像Ｉｂ，Ｉｃ等や頁（ページ）単位のアルバム画像を記憶する内部の記憶媒体としてのハードディスク２０、タイトル画像Ｉａ、素材画像Ｉｂ，Ｉｃを頁単位で任意に貼り付けたアルバム画像を形成するための画像処理部２１が配置される。
【００１５】
図２に示されるように、頁めくり用冊子５０は、複数枚の紙を左綴じ部で綴じたものであり、少なくとも１ヶ所以上である程度纏められていればよく、リング状の留め具等で綴じたものでもよい。そして、この頁めくり用冊子５０には、内部の１枚目から順に、頁めくり番号情報（頁めくりコマンドと移動頁番号の情報）を示すバーコードＢｅが付される。このバーコードＢｅは、頁めくり用冊子５０を写真台１１に載せたとき読取り部１３で読み取られ、図３のバーコード検出部１９で検出される。即ち、バーコードＢｅを水平方向にスキャンして数字情報等を検出することにより、頁めくり（番号）情報が判別され、この頁めくり情報は制御部１８へ供給される。そして、この制御部１８からの頁めくり制御信号によってハードディスク２０から該当する頁の画像が読み出され、このアルバム画像が液晶表示部１４へ表示される。
【００１６】
また、上記写真台１１に載せて読み込まれるタイトルカードＰａのそれぞれには、タイトルカードであることの情報を含む各カードの個別情報（識別情報）としてバーコードＢａ１〜Ｂａｎが付される。即ち、このタイトルカードＰａとして、下部等にバーコードＢａ１〜Ｂａｎ、上部に記載欄（白紙欄）を有するカードが用意されており、このカードの記載欄に手書きやプリンターで任意のタイトルを書き込むか又は印刷するようになっている。これによって、このカードがタイトルカードＰａであることが自動的に認識され、このタイトルカードＰａは、個々のアルバム画像を識別するための管理情報として利用される。
【００１７】
上記頁めくり用冊子５０には、その表紙面に、タイトルカードＰａを露出状態（又は透視状態）で配置するためのカード取付け部（差込み保持部）が設けられており、このカード取付け部にタイトルカードＰａが着脱自在に取り付けられる。なお、このタイトルカードＰａの場合も同様であるが、上記頁めくり用冊子５０のバーコードＢｅは、常に頁めくり用冊子５０の所定位置に付して検出領域を限定し、またこの冊子５０を常に一定の位置に置くように位置決めすることにより、その検出が容易となる。
【００１８】
上記液晶表示部１４には、図５（Ａ）に示されるように、小さなメニュー画面（画面領域）１４Ａ、素材画面（画面領域）１４Ｂ及びアルバム画面（画面領域）１４Ｃが設けられる。即ち、上記メニュー画面１４Ａには、図５（Ｂ）の拡大図に示されるように、例えば画像読取りを行うための“画像読取”、アルバム画像編集を行うための“アルバム編集”、編集したアルバム画像をＤＶＤ等の記録メディア（記録媒体）へ保存するための“ＤＶＤ（ここではＤＶＤのみを示す）への保存”、ＤＶＤ（記録メディア）に格納されている画像素材の読出しを行うための“ＤＶＤ読出”、ＤＶＤ（記録メディア）に格納されているアルバム画像を読み出して上記ハードディスク２０へ保存するための“ＤＶＤから保存”、電子アルバムの閲覧をするための“アルバム閲覧”等のメニューが表示されており、これらの各メニューはそのいずれかを選択することができる。
【００１９】
また、上記メニューの“画像読取”及び“アルバム編集”メニューを選択した場合は、図５（Ａ）に示されるように、液晶表示部１４の右側に、読み込んだ写真Ｐｂの画像Ｉｂや手書きカードＰｃの画像Ｉｃを表示する素材画面（画面領域）１４Ｂが表示され、その左側に、編集完成すべきアルバム画像を表示するアルバム画面（画面領域）１４Ｃが表示・設定される。このアルバム画面１４Ｃは、電子アルバムの１頁の領域を表示しており、この画面１４Ｃで設定されたレイアウトでアルバム画像が頁毎に保存される。
【００２０】
更に、実施例では、図１に示されるように、写真台（本体水平部）１１の前面側に、ＤＶＤ駆動部（読出し／書込み部）２３ａ、その他の記録メディア（メモリ）のメディア駆動部２３ｂが配置されると共に、音声入力するためのマイク２４Ｍ及び音声出力するためのスピーカ２４Ｓが設けられている。即ち、この電子アルバムには、アルバム作成と同時に音声情報を記録し、アルバム閲覧時に音声出力することも可能である。
【００２１】
実施例は以上の構成からなり、図５（Ｂ）のメニューの“画像読取”を選択し、図４（Ａ）のように、写真台１１に例えば“Ｇの思い出アルバム”というタイトルカードＰａを置いて入力キー１２ｂを押すと、タイトルカードＰａの画像ＩａがバーコードＢａ２と共に読み取られる。このバーコードＢａ２は、バーコード検出部１９で検出されることにより、タイトルカード個別情報が特定され、このタイトルカード個別情報がアルバム画像の管理情報として保存される。また、このタイトルカードＰａのバーコードＢａ２を取り除いたタイトル画像Ｉａはハードディスク２０に保存される。
【００２２】
次に、写真Ｐｂ及び手書きカードＰｃ等を写真台１１に順に置き、入力キー１２ｂの操作をすることよって“Ｇの思い出アルバム”のタイトルで作成する写真Ｐｂ及び手書きカードＰｃ等の読取りが行われる。この写真Ｐｂ、手書きカードＰｃには、所定の位置にバーコードがなく、そのままの画像が素材画像として読み取られる。そして、これらの素材画像は、ハードディスク２０に保存されると共に、その全てが図５（Ａ）の素材画面１４Ｂに表示される。なお、この画像読取り動作時では、素材画面１４Ｂのみをメニュー画面１４Ａ以外の領域に大きく表示することもできる。
【００２３】
また、図５（Ａ）の状態にて、アルバム画面１４Ｃへの編集が可能となっており、上記タイトルカードＰａの読取りで保存した“Ｇの思い出アルバム”のタイトル画像Ｉａがアルバム画面１４Ｃ内の所定の位置に自動的に表示される。ここで、素材画面１４Ｂから写真Ｐｂの画像Ｉｂや手書きカードＰｃの“お誕生おめでとう”等の画像Ｉｃを上下左右移動キー１２ａで選択し、貼付けキー１２ｅを押すと、それらの画像が順にアルバム画面１４Ｃ内へ表示される。このとき、剥しキー１２ｄを使えば、一旦貼り付けた画像をアルバム画面１４Ｃ内から剥がす（取り除く）ことができる。なお、写真画像Ｉｂに装飾枠画像等を付加することもできる。
【００２４】
このようなアルバム画面１４Ｃ内での素材画像（Ｉｂ，Ｉｃ）の貼付け編集においては、操作部１２の上下左右移動キー１２ａを用いて素材画像を任意の場所に移動させて配置できるようにしてもよいし、予め、１頁の中に貼り込む画像Ｉｂ，Ｉｃのレイアウトを設定し、例えば中央１枚［図６（Ａ）］、横方向２枚配列［図５（Ａ）］、横方向３枚配列、縦方向２枚配列、縦方向３枚配列というようなレイアウトを設定しておき、選択したレイアウトに従って自動的に写真画像Ｉｂ、メッセージ画像Ｉｃを順に貼り付けるようにしてもよい。図５（Ａ）の１頁目のアルバム編集が終了すると、例えば入力キー１２ｂの操作によって図６（Ａ）の２頁目へ進み、同様にして素材画像の貼付けを行うことにより、複数枚のアルバム画像ができ上がる。このようなアルバム画像作成における頁単位の画像処理は、画像処理部２１で行われる。
【００２５】
そして、操作部１２の終了キー１２ｃを押すことにより、上記素材画像（Ｉｂ，Ｉｃ）を貼り付けたアルバム画像がタイトルカード個別情報と共に、ハードディスク２０へ格納され、アルバム編集が終了する。なお、タイトルカードＰａ、写真Ｐｂ、手書きカードＰｃ等を順に読取り保存するようにしたが、図４（Ａ）に示されるように、これら複数を写真台１１に置き、全部を読み取った後に、それらの写真縁、カード縁を自動的に検出すること等により個別の素材画像として保存することもできる。
【００２６】
更に、図５（Ｂ）のメニューから“アルバム編集”を選択した場合は、電子アルバムの作成後に、アルバム画像の再編集を行うことができ、メニューの“ＤＶＤ読出”を選択することにより、上述したＤＶＤ駆動部２３ａに挿入したＤＶＤから読み取った画像を素材画像として利用することができ（なお、メディア駆動部２３ｂを利用する場合は、例えば“画像読取”メニューから入って記録メディアの画像情報を読み取る）、メニューの“ＤＶＤへ保存”を選択すれば、完成したアルバム画像をＤＶＤへ保存することができ、メニューの“ＤＶＤから保存”を選択すれば、別の装置等で完成したアルバム画像を当該装置のハードディスク２０へ保存することができる。
【００２７】
また、当該装置では、図５（Ｂ）のメニューの“アルバム閲覧”を選択することにより、保存されているアルバム画像を液晶表示部１４にて閲覧することができ、このアルバム閲覧での動作が図７に示されている。図７において、まず図２の頁めくり用冊子５０の表紙のタイトルカード取付け部に作成済のタイトルカードＰａを差し込み（ステップ101）、この頁めくり用冊子５０を写真台１１に載せ、入力キー１２ｂを押すと（ステップ102）、表紙のタイトルカードＰａのバーコードＢａ２が読み取られ、このバーコードＢａ２のタイトルカード個別情報で保存されているアルバム画像がハードディスク２０から読み出され（ステップ103）、このアルバム画像の１頁と２頁が、図６（Ｂ）のように液晶表示部１４へ表示される（ステップ104）。即ち、実施例のアルバム閲覧の画面は、２頁単位（見開き状態）の表示構成となっており、左側に１頁、右側に２頁のアルバム画像が表示され、従来の台紙アルバムと同様に、見開きの状態で写真を観賞することができる。もちろん、見開きではなく、１頁単位での表示でもよい。
【００２８】
次に、図２のように、頁めくり用冊子５０をめくると（ステップ105）、バーコードＢｅが読取部１３及びバーコード検出部１９によって読み取られ、その頁めくり（番号）情報が制御部１８へ供給される（少なくとも、アルバム閲覧動作時には所定時間毎にバーコードＢｅの読取り動作を自動的に行う）。そうすると、制御部１８から、３，４頁へ移動するための頁めくり制御信号がハードディスク２０へ供給され、これによって、図６（Ｃ）のように、アルバム画像の３，４頁が見開き状態で表示部１４へ表示される（ステップ106）。このように、当該実施例では、従来の台紙アルバムと同様に、頁めくり用冊子５０をめくることによって、表示部１４上のアルバム画像の頁移動（頁送り）を行うことができる（ステップ107〜109）。なお、頁めくり用冊子５０を写真台１１から取り除き（ステップ110）、終了キー１２ｃを押せば、初期画面へ戻ることになる（ステップ111）。
【００２９】
上記実施例では、頁めくり用冊子５０の頁めくり情報及びタイトルカードＰａの個別情報として、バーコードＢｅ，Ｂａ１〜Ｂａｎを用いたが、この代わりに２次元コード等の他の光学的識別コードを付してもよい。また、この頁めくり用冊子５０及びタイトルカードＰａの情報を識別する他の方法として、電気的識別素子としてのＩＣタグ（ＩＣチップ）等を用いるようにしてもよい。このＩＣタグを利用する場合は、図３に示されるように、写真台（本体水平部）１１の内部等に無線ＩＤ読取り部（又は無線通信リーダ／ライタ）２６を設けることになる。
【００３０】
また、上記実施例では、頁めくり用冊子５０を用いた頁めくり操作に加え、キー操作で頁めくりを行うこともできる。即ち、操作部１２の例えば（上下）左右キー１２ａに頁めくりの操作を割り当てることにより、この左右キー１２ａの操作によって同様にアルバム画像の頁めくりが可能になる。
【図面の簡単な説明】
【００３１】
【図１】本発明の実施例に係る電子アルバム作成装置の全体構成を示す斜視図である。
【図２】実施例の電子アルバム作成装置に用いられる頁めくり用冊子（表紙を開いた状態）を示す図である。
【図３】実施例の装置の回路部を含む全体構成を示すブロック図である。
【図４】実施例の装置の構成を示し、図（Ａ）は上面図、図（Ｂ）は内部を示した側面図である。
【図５】実施例の装置の液晶表示部で設定されるメニュー画面、素材画面及びアルバム画面の構成を示す図［図（Ａ）］、並びにメニュー画面の拡大図［図（Ｂ）］である。
【図６】実施例の装置の液晶表示部におけるアルバム編集時［図（Ａ）］とアルバム閲覧時［図（Ｂ），（Ｃ）］の表示状態を示す図である。
【図７】実施例の装置における頁めくり動作を示すフローチャートである。
【符号の説明】
【００３２】
１１…写真台、            １２…操作部、
１３…読取り部、          １４…液晶表示部、
１６…照明部、            １９…バーコード検出部、
２０…ハードディスク、    ２１…画像処理部、
２３ａ…ＤＶＤ駆動部、    ２３ｂ…メディア駆動部、
５０…頁めくり用冊子、
Ｂｅ，Ｂａ１〜Ｂａｎ…バーコード、
Ｐａ…タイトルカード、    Ｐｂ…写真、
Ｐｃ…手書きカード。
【図１】
2006186707.tif 000003
【図２】
2006186707.tif 000004
【図３】
2006186707.tif 000005
【図４】
2006186707.tif 000006
【図５】
2006186707.tif 000007
【図６】
2006186707.tif 000008
【図７】
2006186707.tif 000009